(57)【要約】【課題】光ディスク装置において、装填された光ディスクに記録／未記録領域が混在する場合であっても、データの書き込み又は読み出しを行うための適正な制御パラメータを取得する。【解決手段】信号処理部は、光ピックアップのトラッキングサーボをオフにした状態で光ディスクを回転させ（＃１）、記録領域であるか、未記録領域であるかを判別する（＃２）。いずれか一方の領域が７０％以上を占めている場合（＃３においてＹＥＳ）、その一方の領域において生成されたエラー信号を用いて制御パラメータを調整する（＃４）。制御パラメータの調整中に他方の領域があるときは（＃５においてＹＥＳ）、＃４において得られた調整値に基いて制御パラメータの調整値を算出する（＃７）。いずれの領域も全体の７０％以上を占めていない場合には（＃３においてＮＯ）、各領域毎に制御パラメータを調整する（＃９）。【選択図】図２
2005267692.tif 000002
【特許請求の範囲】
【請求項１】
データの書き込みが可能な光ディスクにレーザ光を照射し、その光ディスクにデータを書き込むと共に、光ディスクからの反射光を電気信号に変換して出力する光ピックアップと、
光ピックアップから出力された電気信号に基いて、前記光ディスクに対してデータの書き込み又は読み出しを行うための各種制御パラメータを調整するための信号を生成する信号生成手段と、
この信号生成手段によって生成された信号を処理する信号処理手段と、
前記光ピックアップに駆動電圧を印加するための駆動手段とを備えた光ディスク装置において、
前記信号処理手段は、
前記駆動手段を介して前記光ピックアップを動作させて光ディスクの回転中心から所定距離だけ離れた位置に移動させ、
前記光ピックアップによるトラッキングサーボをオフにした状態で光ディスクを回転させ、光ディスクの所定の領域において前記信号生成手段によって生成された信号に基いて、既にデータが書き込まれている記録領域又はまだデータが書き込まれていない未記録領域を判別してその割合を算出し、
記録領域又は未記録領域のうち、いずれか一方の領域が５０％より大きい所定の割合以上であるとき、その一方の領域において生成された信号を用いて制御パラメータを調整し、その調整中に他方の領域があるときは、その他方の領域において生成された信号の値を捨て、該他方の領域については、前記一方の領域について得られた制御パラメータの調整値に基いて所定の演算処理によって制御パラメータ調整を行い、
記録領域及び未記録領域のうち、いずれの領域も前記所定の割合以上でないとき、それぞれの領域毎に生成された信号を用いて制御パラメータを調整することを特徴とする光ディスク装置。
【請求項２】
データの書き込みが可能な光ディスクにレーザ光を照射し、その光ディスクにデータを書き込むと共に、光ディスクからの反射光を電気信号に変換して出力する光ピックアップと、
光ピックアップから出力された電気信号に基いて、前記光ディスクに対してデータの書き込み又は読み出しを行うための各種制御パラメータを調整するための信号を生成する信号生成手段と、
この信号生成手段によって生成された信号を処理する信号処理手段とを備えた光ディスク装置において、
前記信号処理手段は、
前記光ピックアップによるトラッキングサーボをオフにした状態で光ディスクを回転させ、光ディスクの所定の領域において前記信号生成手段によって生成された信号に基いて、既にデータが書き込まれている記録領域又はまだデータが書き込まれていない未記録領域を判別し、
それぞれの領域毎に生成された信号を用いて制御パラメータを調整することを特徴とする光ディスク装置。
【請求項３】
データの書き込みが可能な光ディスクにレーザ光を照射し、その光ディスクにデータを書き込むと共に、光ディスクからの反射光を電気信号に変換して出力する光ピックアップと、
光ピックアップから出力された電気信号に基いて、前記光ディスクに対してデータの書き込み又は読み出しを行うための各種制御パラメータを調整するための信号を生成する信号生成手段と、
この信号生成手段によって生成された信号を処理する信号処理手段とを備えた光ディスク装置において、
前記信号処理手段は、
前記光ピックアップによるトラッキングサーボをオフにした状態で光ディスクを回転させ、光ディスクの所定の領域において前記信号生成手段によって生成された信号に基いて、既にデータが書き込まれている記録領域又はまだデータが書き込まれていない未記録領域を判別し、
記録領域又は未記録領域のうち、より大きな領域を占めているいずれか一方の領域において生成された信号を用いて制御パラメータを調整し、その調整中に他方の領域があるときは、その他方の領域において生成された信号の値を捨て、該他方の領域については、前記一方の領域について得られた制御パラメータの調整値に基いて所定の演算処理によって制御パラメータ調整を行うことを特徴とする光ディスク装置。
【発明の詳細な説明】
【技術分野】
【０００１】
本発明は、光ディスクにデータを書き込み又は読み出しを行うための光ディスク装置に関するものである。
【背景技術】
【０００２】
従来から、光ディスク装置においては、光ピックアップから出力された電気信号に基いて、光ディスクに対してデータを書き込み又は読み出しを行うための各種の制御パラメータ（例えば、トラッキングエラーバランス、トラッキングエラーレベル、トラッキングゲインレベル、フォーカシングエラーバランス、フォーカシングエラーレベル、フォーカシングゲインレベル）を取得し、この取得した各制御パラメータに基いて光ピックアップを制御することにより、光ピックアップに設けられている対物レンズのフォーカシング及びトラッキング等の制御を行っている。
【０００３】
ところで、今日においては、種々のメーカからデータの書き込みが可能な光ディスクが供給されている。このような光ディスクは、規格の範囲内であるがディスク毎に反射率が異なったり、ピットの形成状態によって反射率が異なったりすることがあるので、画一的な制御パラメータでは、データの書き込み又は読み出しが適正に行えないことがある。そこで、光ディスクが装填（チャッキング）されたとき、光ディスク毎に制御パラメータを自動的に調整するようにした光ディスク再生装置が知られている（例えば、特許文献１参照）。この種の従来の光ディスク装置では、記録領域と未記録領域を特に区別せずに装填された光ディスクの所定の領域から得られた信号を用いて、制御パラメータの調整を行っている。
【０００４】
また、光ピックアップの制御に特徴を有する光ディスク装置の制御回路としては、シークの際のトラッククロス信号を正確にカウントするように構成されたトラッククロス信号生成回路が知られている（例えば、特許文献２、特許文献３参照）。
【特許文献１】特開平７−６５３８０号公報
【特許文献２】特開２００３−２５７０５０号公報
【特許文献３】特開２００３−２１７１３６号公報
【発明の開示】
【発明が解決しようとする課題】
【０００５】
しかしながら、記録型の光ディスクにおいては、一般に、記録領域と未記録領域との間でトラッキングエラー信号のレベルが約３ｄｂ程変動するともいわれている。従って、装填された光ディスクに記録／未記録領域が混在する場合、記録領域から得られた信号と、未記録領域から得られた信号とが区別されることなく平均化され、適切な制御パラメータが取得できなくなる。このような場合、光ピックアップの制御を適正に行うことができず、データの書き込み又は読み出しに支障をきたす場合がある。
【０００６】
本発明は、上記課題を解決するためになされたものであり、装填された光ディスクに記録／未記録領域が混在する場合であっても、制御パラメータの調整時に記録／未記録領域を判別し、各領域毎に適切な制御パラメータを取得し、データの書き込み又は読み出しを適正に行えるようにした光ディスク装置を提供することを目的とする。
【課題を解決するための手段】
【０００７】
上記目的を達成するために請求項１の発明は、データの書き込みが可能な光ディスクにレーザ光を照射し、その光ディスクにデータを書き込むと共に、光ディスクからの反射光を電気信号に変換して出力する光ピックアップと、光ピックアップから出力された電気信号に基いて、光ディスクに対してデータの書き込み又は読み出しを行うための各種制御パラメータを調整するための信号を生成する信号生成手段と、この信号生成手段によって生成された信号を処理する信号処理手段と、光ピックアップに駆動電圧を印加するための駆動手段とを備えた光ディスク装置において、信号処理手段は、駆動手段を介して光ピックアップを動作させて光ディスクの回転中心から所定距離だけ離れた位置に移動させ、光ピックアップによるトラッキングサーボをオフにした状態で光ディスクを回転させ、光ディスクの所定の領域において信号生成手段によって生成された信号に基いて、既にデータが書き込まれている記録領域又はまだデータが書き込まれていない未記録領域を判別してその割合を算出し、記録領域又は未記録領域のうち、いずれか一方の領域が５０％より大きい所定の割合以上であるとき、その一方の領域において生成された信号を用いて制御パラメータを調整し、その調整中に他方の領域があるときは、その他方の領域において生成された信号の値を捨て、該他方の領域については、一方の領域について得られた制御パラメータの調整値に基いて所定の演算処理によって制御パラメータ調整を行い、記録領域及び未記録領域のうち、いずれの領域も所定の割合以上でないとき、それぞれの領域毎に生成された信号を用いて制御パラメータを調整するものである。
【０００８】
請求項２の発明は、データの書き込みが可能な光ディスクにレーザ光を照射し、その光ディスクにデータを書き込むと共に、光ディスクからの反射光を電気信号に変換して出力する光ピックアップと、光ピックアップから出力された電気信号に基いて、光ディスクに対してデータの書き込み又は読み出しを行うための各種制御パラメータを調整するための信号を生成する信号生成手段と、この信号生成手段によって生成された信号を処理する信号処理手段とを備えた光ディスク装置において、信号処理手段は、光ピックアップによるトラッキングサーボをオフにした状態で光ディスクを回転させ、光ディスクの所定の領域において信号生成手段によって生成された信号に基いて、既にデータが書き込まれている記録領域又はまだデータが書き込まれていない未記録領域を判別し、それぞれの領域毎に生成された信号を用いて制御パラメータを調整するものである。
【０００９】
請求項３の発明は、データの書き込みが可能な光ディスクにレーザ光を照射し、その光ディスクにデータを書き込むと共に、光ディスクからの反射光を電気信号に変換して出力する光ピックアップと、光ピックアップから出力された電気信号に基いて、光ディスクに対してデータの書き込み又は読み出しを行うための各種制御パラメータを調整するための信号を生成する信号生成手段と、この信号生成手段によって生成された信号を処理する信号処理手段とを備えた光ディスク装置において、信号処理手段は、光ピックアップによるトラッキングサーボをオフにした状態で光ディスクを回転させ、光ディスクの所定の領域において信号生成手段によって生成された信号に基いて、既にデータが書き込まれている記録領域又はまだデータが書き込まれていない未記録領域を判別し、記録領域又は未記録領域のうち、より大きな領域を占めているいずれか一方の領域において生成された信号を用いて制御パラメータを調整し、その調整中に他方の領域があるときは、その他方の領域において生成された信号の値を捨て、該他方の領域については、一方の領域について得られた制御パラメータの調整値に基いて所定の演算処理によって制御パラメータ調整を行うものである。
【発明の効果】
【００１０】
請求項１の発明によれば、大部分の領域が記録領域又は未記録領域のうちいずれか一方によって占められている光ディスクが装填されたとき、その一方の（大部分を占める）領域については信号生成手段によって生成された信号のみを用いて制御パラメータを調整するので、光ディスクにデータを書き込んだり読み出したりする際に必要な制御パラメータを適正な値で取得することができる。また、他方の領域については、上記一方の領域について得られた制御パラメータに基いて所定の演算処理を行うことにより、制御パラメータを算出するので、略適正な調整値を取得することができる。さらに、顕著に断片化される等の理由により記録領域及び未記録領域の占める割合が略拮抗している光ディスクが装填されたとき、それぞれの領域毎に別々に制御パラメータを調整するので、記録領域において生成された信号と未記録領域において生成された信号とを別々に処理することができる。従って、データの書き込みや消去が繰り返して行われてきた光ディスクが装填された場合にあっても、いずれの領域においても適正な制御パラメータの調整値を得ることができる。
【００１１】
請求項２の発明によれば、光ディスクが装填されたとき、信号処理手段が、光ピックアップがレーザ光を照射した領域が記録領域であるか未記録領域であるかを判別し、それぞれの領域毎に別々に制御パラメータを調整するので、記録領域において生成された信号と未記録領域において生成された信号とを別々に処理することができる。従って、いずれの領域においても適正な制御パラメータの調整値を得ることができる。
【００１２】
請求項３の発明によれば、大部分の領域が記録領域又は未記録領域のうちいずれか一方によって占められている光ディスクが装填されたとき、その一方の（大部分を占める）領域については信号生成手段によって生成された信号のみを用いて制御パラメータを調整するので、光ディスクにデータを書き込んだり読み出したりする際に必要な制御パラメータを適正な値で取得することができる。また、他方の領域については、上記一方の領域について得られた制御パラメータに基いて所定の演算処理を行うことにより、制御パラメータを算出するので、略適正な調整値を取得することができる。
【発明を実施するための最良の形態】
【００１３】
本発明を実施するための最良の実施形態による光ディスク装置について図面を参照して説明する。図１は光ディスク装置の概略構成を示している。光ディスク装置１は、装填された光ディスクＤを回転駆動するためのスピンドルモータ２と、回転中の光ディスクＤにデータの書き込み又は読み出しを行うための光ピックアップ３と、光ピックアップ３から出力された電気信号に基いて、各種の制御パラメータを調整するための信号を生成する信号生成部（信号生成手段）４と、信号生成部４によって生成された信号を処理する信号処理部（信号処理手段）５と、スピンドルモータ２及び光ピックアップ３に駆動電圧を印加するための駆動部（駆動手段）６と、装置各部の制御を司る制御部７等によって構成されている。なお、上記制御パラメータとは、光ディスクＤに対してデータの書き込み又は読み出しを行うための制御パラメータであり、例えば、トラッキングエラーバランス、トラッキングエラーレベル、トラッキングゲインレベル、フォーカシングエラーバランス、フォーカシングエラーレベル、フォーカシングゲインレベル等の制御パラメータをいう。
【００１４】
光ピックアップ３は、光ディスクＤの記録面にレーザ光を照射し、光ディスクＤにデータを書き込むと共に、光ディスクＤからの反射光を電気信号に変換して信号生成部４に出力する。信号生成部４は、光ピックアップ３から出力された電気信号に基いてＲＦ信号、及び制御パラメータを調整するためのトラッキングエラー信号、フォーカシングエラー信号等の各種信号を生成し、信号処理部５及び制御部７に出力する。
【００１５】
信号処理部５は、信号生成部４から出力されたＲＦ信号の振幅（光ディスクＤからの反射光の光量）に基いて、光ピックアップ３がレーザ光を照射した領域が記録領域であるか、未記録領域であるかを判別する。そして、信号処理部５は、信号生成部４から出力されたトラッキングエラー信号、フォーカシングエラー信号等の信号を処理して制御パラメータを調整する。この制御パラメータの調整処理については、後程詳述する。
【００１６】
駆動部６は、制御部７から信号処理部５を介して出力された制御信号に基いて、スピンドルモータ２、光ピックアップ３をフィード駆動するためのフィードモータ、光ピックアップ３に組み込まれている半導体レーザ、対物レンズのフォーカシングコイル及びトラッキングコイル等に駆動電圧を印可する。また、制御部７は、信号生成部４及び信号処理部５から出力される各種の信号に基いて、信号生成部４、信号処理部５及び駆動部６を制御するための制御信号を信号生成部４及び信号処理部５に出力する。
【００１７】
次に、信号処理部５による制御パラメータの調整処理について、図２を参照して説明する。光ディスク装置１に光ディスクＤが装填されると、まず、信号処理部５は、ビームスポットが光ディスクＤの回転中心から所定半径ｒ＝３０ｍｍ（図１参照）だけ離れて位置されるように光ピックアップ３を移動させて、さらに光ピックアップ３のトラッキングサーボをオフにした状態で光ディスクＤを１回転させる旨の制御信号を駆動部６に出力する（＃１）。そして、信号処理部５は、信号生成部４から出力されたＲＦ信号の振幅（光ディスクＤからの反射光の光量）に基いて、光ピックアップ３がレーザ光を照射した領域が記録領域であるか、未記録領域であるかを判別する（＃２）。このとき、記録領域又は未記録領域のうち、いずれか一方の領域が全体の７０％以上を占めている場合は（＃３においてＹＥＳ）、信号処理部５は、その一方の領域において信号生成部４によって生成されたトラッキングエラー信号、フォーカシングエラー信号等の各種信号を用いて制御パラメータを調整する（＃４）。制御パラメータの調整中に他方の領域があるときは（＃５においてＹＥＳ）、信号処理部５は、その他方の領域において生成された信号の値を捨て（＃６）、この領域の制御パラメータ調整値については、＃４において得られた一方の領域についての制御パラメータの調整値に基いて所定の演算により算出し、（＃７）処理を終了する。ここで、所定の演算とは、例えば、＃４において得られた制御パラメータの調整値に対して所定の補正値を加えたり、所定の係数を乗じたりする処理をいう。また、上記＃５において、制御パラメータの調整中に他方の領域がないときは（＃５においてＮＯ）、信号処理部５は、通常通りの制御パラメータの調整を継続する（＃８）。また、＃３において、いずれの領域も全体の７０％以上を占めていない場合には（＃３においてＮＯ）、信号処理部５は、それぞれの領域毎に制御パラメータを調整する（＃９）。
【００１８】
以上のように、本実施形態の光ディスク装置１によれば、記録領域又は未記録領域のうち、いずれか一方の領域が全体の７０％以上を占めている光ディスク、すなわち、大部分の領域が記録領域又は未記録領域のうちいずれか一方の領域で占められている光ディスクＤが装填されたとき、その一方の領域については生成された信号を用いて制御パラメータを調整するので、光ディスクＤにデータを書き込んだり読み出したりする際に必要な制御パラメータを適正な値で取得することができる。また、他方の領域については、上記一方の領域について得られた制御パラメータに基いて所定の演算処理を行うことにより、制御パラメータを算出するので、略適正に推定した制御パラメータの調整値を取得することができる。さらに、いずれの領域も全体の７０％以上を占めていない光ディスクＤ、すなわち、顕著に断片化されることにより記録領域及び未記録領域の占める割合が略拮抗しているような光ディスクＤが装填されたとき、それぞれの領域毎に別々に制御パラメータを調整するので、記録領域において生成された信号と未記録領域において生成された信号とを別々に処理することができる。従って、データの書き込みや消去が繰り返して行われてきた光ディスクＤが装填された場合にあっても、いずれの領域においても適正な制御パラメータの調整値を得ることができる。
【００１９】
なお、本発明は上記実施形態の構成に限られることなく種々の変形が可能である。例えば、図２中、＃３においては、いずれか一方の領域が７０％以上の領域を占めているかを判定しているが、このステップでは、いずれか一方の領域が大部分を占めているかについての判定基準とする割合を光ディスクＤに記録されるデータの断片化の程度等に応じて５０％より大きい任意の割合しても構わない。また、＃１、＃２において、オフトラックで光ディスクＤを１回転させながら、記録領域及び未記録領域を判別するようにしているが、光ディスクＤの回転数は、両領域を判別し、各領域毎に制御パラメータを適正に調整するのに必要十分な回転数であれば、これに限られることはない。また、本実施形態においては、図１及び図２に示したように、光ディスクＤが装填されたとき、ビームスポットが光ディスクＤの回転中心から半径ｒ＝３０ｍｍだけ離れて位置されるように光ピックアップ３を移動させて、その領域が記録領域であるか未記録領域であるかを判定し、制御パラメータを調整するようにしている。これは、光ディスクＤの内周側から記録が開始され、また、例えばＤＶＤ−ＲＷ等においては回転中心から半径ｒ＝２４ｍｍ程度の領域にファイル管理情報を記録するためのエンボス（ピット）が形成されており、制御パラメータの調整には適していないので、この領域より十分に外周側で制御パラメータを調整するように配慮したものである。従って、光ディスクＤの内周側であって、上記エンボス加工が施されていない任意の領域に対向する位置にビームスポットが存在するように、光ピックアップ３を移動させることも可能である。
【図面の簡単な説明】
【００２０】
【図１】本発明の一実施形態による光ディスク装置の概略構成を示すブロック図。
【図２】制御パラメータ調整時における同装置の信号処理部の動作を示すフローチャート。
【符号の説明】
【００２１】
１    光ディスク装置
３    光ピックアップ
４    信号生成部（信号生成手段）
５    信号処理部（信号処理手段）
６    駆動部（駆動手段）
【図１】
2005267692.tif 000003
【図２】
2005267692.tif 000004